(57)【要約】【課題】ディスプレイの他のディスプレイへの映り込みを抑制する「表示システム」を提供する。【解決手段】各ディスプレイにおいて、バックライトより出射された照明光は第１偏光板で第１の方向に直線偏光され、ＴＦＴアレイ、第１配向膜、液晶層、第２配向膜を通って、カラーフィルタで有色光に変換され、第２偏光板に入射する。第２偏光板は、カラーフィルタから入射した光の前記第１の方向と直交する第２の方向に偏光した成分のみを透過し、第２偏光板を透過した光は、カバーガラスを介してディスプレイの映像光として出射される。左サイドディスプレイ４と右サイドディスプレイ５の第２偏光板の偏光方向と、センターディスプレイ６とクラスタディスプレイ７の第２偏光板の偏光方向とは、両者が直交するように設定される。【選択図】図５
2020122947.tif 000002
【特許請求の範囲】
【請求項１】
複数のディスプレイを備えた表示システムであって、
各ディスプレイは、直線偏光の映像光を当該ディスプレイから出射する偏光板を備え、
前記複数のディスプレイのうちの、１または複数のディスプレイが属するグループである第１グループに属する各ディスプレイの前記偏光板が出射する直線偏光の方向と、前記複数のディスプレイのうちの、前記第１グループに属さない１または複数のディスプレイが属するグループである第２のグループに属する各ディスプレイの前記偏光板が出射する直線偏光の方向とは直交していることを特徴とする表示システム。
【請求項２】
複数のディスプレイを備えた表示システムであって、
各ディスプレイは、円偏光の映像光を当該ディスプレイから出射する円偏光板を備え、
前記複数のディスプレイのうちの、１または複数のディスプレイが属するグループである第１グループに属する各ディスプレイの前記円偏光板が出射する円偏光の回転方向と、前記複数のディスプレイのうちの、前記第１グループに属さない１または複数のディスプレイが属するグループである第２のグループに属する各ディスプレイの前記円偏光板が出射する円偏光の回転方向とは逆方向であることを特徴とする表示システム。
【請求項３】
複数のディスプレイを備えた表示システムであって、
各ディスプレイは、楕円偏光の映像光を当該ディスプレイから出射する楕円偏光板を備え、
前記複数のディスプレイのうちの、１または複数のディスプレイが属するグループである第１グループに属する各ディスプレイの前記楕円偏光板が出射する楕円偏光の回転方向と、前記複数のディスプレイのうちの、前記第１グループに属さない１または複数のディスプレイが属するグループである第２のグループに属する各ディスプレイの前記楕円偏光板が出射する楕円偏光の回転方向とは逆方向であることを特徴とする表示システム。
【請求項４】
請求項１、２または３記載の表示システムであって、
前記第２のグループに属する各ディスプレイは、前記第１のグループに属するいずれかのディスプレイの映像光が入射するディスプレイであることを特徴とする表示システム。
【請求項５】
自動車に搭載された、請求項１、２、３または４記載の表示システムであって、
自動車の左側部より後方の映像を撮影する左サイドカメラと、
自動車の右側部より後方の映像を撮影する右サイドカメラとを備え、
前記第１のグループに属するディスプレイは、前記左サイドカメラが撮影した映像を表示する前記自動車の運転席の左前方に配置されたディスプレイと、前記右サイドカメラが撮影した映像を表示する前記自動車の運転席の右前方に配置されたディスプレイとを含み、
前記第２のグループに属するディスプレイは、前記自動車のダッシュボードの中央に配置されたディスプレイと前記運転席の前方に配置されたディスプレイとのうちの少なくとも一方を含むことを特徴とする表示システム。
【発明の詳細な説明】
【技術分野】
【０００１】
本発明は、複数のディスプレイを備えた表示システムにおいて、ディスプレイの映り込みを抑制する技術に関するものである。
【背景技術】
【０００２】
ディスプレイの映り込みを抑制する技術としては、自動車のダッシュボードに配置される液晶ディスプレイのフロントウインドシールドへの映り込みを抑制する技術が知られている。
【０００３】
この技術では、液晶ディスプレイが出射する直線偏光の映像光のフロントウインドシールドの反射面での偏光方向がｐ偏光となり、映像光の反射面への入射角がブリュースター角となるように設定することにより、液晶ディスプレイのフロントウインドシールドへの映り込みを抑制している（たとえば、特許文献１、２）。
【０００４】
また、直線偏光の映像光を出射する液晶ディスプレイの前面に、液晶ディスプレイから入射した直線偏光の映像光を円偏光の映像光に変換して出射する円偏光板を設ける技術が知られている（たとえば、特許文献３、４）
また、ドアミラーやフェンダーミラー等の鏡を用いたサイドミラーに代えて、自動車の左右側部に後方を撮影するカメラを配置し、各カメラで撮影した映像を運転者の前方左右に各々配置したディスプレイにそれぞれ表示する電子サイドミラーシステムが知られている（たとえば、特許文献５、特許文献６）。
【先行技術文献】
【特許文献】
【０００５】
【特許文献１】特開２００２-１８７４９１号公報
【特許文献２】特開２００９-０８０３２１号公報
【特許文献３】国際公開第２０１５／１８６２９７号
【特許文献４】特開２０１５-１９４５６６号公報
【特許文献５】特開２０１７-  ２４４６４号公報
【特許文献６】特開２０１８-１６７６３３号公報
【発明の概要】
【発明が解決しようとする課題】
【０００６】
ダッシュボードに配置されたディスプレイを備えた自動車に電子サイドミラーシステムを搭載する場合、ダッシュボードに配置されたディスプレイに加え運転者の前方左右にディスプレイが配置されることとなるため、各ディスプレイへの他のディスプレイの映り込みが発生する場合がある。
【０００７】
そして、このような場合、各ディスプレイの所要の配置位置や向きの関係上、各ディスプレイが出射する直線偏光の映像光の他の全てのディスプレイの反射面での偏光方向と入射角とを、当該偏光方向がｐ偏光となり当該入射角がブリュースター角となるように設定して、ディスプレイ間の映り込みの全てについてこれを抑制することは困難である。
【０００８】
そこで、本発明は、複数のディスプレイを備えた表示システムにおいて、各ディスプレイの他のディスプレイへの映り込みを抑制することを課題とする。
【課題を解決するための手段】
【０００９】
前記課題達成のために、本発明は、複数のディスプレイを備えた表示システムにおいて、各ディスプレイを、直線偏光の映像光を当該ディスプレイから出射する偏光板を備えたものとし、前記複数のディスプレイのうちの、１または複数のディスプレイが属するグループである第１グループに属する各ディスプレイの前記偏光板が出射する直線偏光の方向と、前記複数のディスプレイのうちの、前記第１グループに属さない１または複数のディスプレイが属するグループである第２のグループに属する各ディスプレイの前記偏光板が出射する直線偏光の方向とを直交させたものである。
【００１０】
また、本発明は前記課題達成のために、複数のディスプレイを備えた表示システムにおいて、各ディスプレイを、円偏光の映像光を当該ディスプレイから出射する円偏光板を備えたものとし、前記複数のディスプレイのうちの、１または複数のディスプレイが属するグループである第１グループに属する各ディスプレイの前記円偏光板が出射する円偏光の回転方向を、前記複数のディスプレイのうちの、前記第１グループに属さない１または複数のディスプレイが属するグループである第２のグループに属する各ディスプレイの前記円偏光板が出射する円偏光の回転方向とは逆方向としたものである。
【００１１】
また、本発明は前記課題達成のために、複数のディスプレイを備えた表示システムにおいて、各ディスプレイを、楕円偏光の映像光を当該ディスプレイから出射する楕円偏光板を備えたものとし、前記複数のディスプレイのうちの、１または複数のディスプレイが属するグループである第１グループに属する各ディスプレイの前記楕円偏光板が出射する楕円偏光の回転方向と、前記複数のディスプレイのうちの、前記第１グループに属さない１または複数のディスプレイが属するグループである第２のグループに属する各ディスプレイの前記楕円偏光板が出射する楕円偏光の回転方向とは逆方向としたものである。
【００１２】
ここで、以上の表示システムにおいて、前記第２のグループに属する各ディスプレイは、より具体的には、たとえば、前記第１のグループに属するいずれかのディスプレイの映像光が入射するディスプレイである。
【００１３】
また、以上の表示システムは、自動車に搭載された表示システムであってよく、この場合、当該表示システムに、自動車の左側部より後方の映像を撮影する左サイドカメラと、自動車の右側部より後方の映像を撮影する右サイドカメラとを設け、前記第１のグループに属するディスプレイを、前記左サイドカメラが撮影した映像を表示する前記自動車の運転席の左前方に配置されたディスプレイと、前記右サイドカメラが撮影した映像を表示する前記自動車の運転席の右前方に配置されたディスプレイとを含むものとし、前記第２のグループに属するディスプレイを、前記自動車のダッシュボードの中央に配置されたディスプレイと前記運転席の前方に配置されたディスプレイとのうちの少なくとも一方を含むものとしてよい。
【００１４】
以上のような表示システムによれば、第１のグループのディスプレイから出射され第２のグループのディスプレイに届いた映像光は、２のグループのディスプレイの偏光板や円偏光板や楕円偏光板でほぼ吸収、遮断され、第２のグループのディスプレイの第２偏光板より下層の部分での当該映像光による反射が抑制される。また、同様に、第２のグループのディスプレイから出射され第２のグループのディスプレイに届いた映像光は、１のグループのディスプレイの偏光板や円偏光板や楕円偏光板でほぼ遮断され、第１のグループのディスプレイの第２偏光板より下層の部分での当該映像光による反射が抑制される。
【００１５】
よって、各ディスプレイの他のディスプレイへの映り込みを抑制するこができる。
【発明の効果】
【００１６】
以上のように、本発明によれば複数のディスプレイを備えた表示システムにおいて、各ディスプレイの他のディスプレイへの映り込みを抑制するこができる。
【図面の簡単な説明】
【００１７】
【図１】本発明の第１実施形態に係る表示システムの構成を示すブロック図である。
【図２】本発明の第１実施形態に係るカメラの配置を示す図である。
【図３】本発明の第１実施形態に係るディスプレイの配置を示す図である。
【図４】本発明の第１実施形態に係るディスプレイの構造を示す図である。
【図５】本発明の第１実施形態に係るディスプレイの偏光方向を示す図である。
【図６】本発明の第２実施形態に係るディスプレイの構造を示す図である。
【図７】本発明の第２実施形態に係るディスプレイの偏光方向を示す図である。
【発明を実施するための形態】
【００１８】
以下、本発明の実施形態について説明する。
まず、第１の実施形態について説明する。
図１に、本第１実施形態に係る車載システムの構成を示す。
車載サイドミラーシステムは、自動車に搭載されるシステムであり、図示するように、左サイドカメラ１、右サイドカメラ２、オーディオシステムやナビゲーションシステムや自動車状態管理システムなどの複数の情報システム３、左サイドディスプレイ４、右サイドディスプレイ５、センターディスプレイ６、クラスタディスプレイ７、表示制御部８を備えている。
【００１９】
図２ａ、ｂに示すように、左サイドカメラ１は自動車のボディから左に突き出した位置に配置されており、当該位置から自動車の後ろ方向の映像を撮影し、右サイドカメラ２は自動車のボディから右に突き出した位置に配置され当該位置から自動車の後ろ方向の映像を撮影する。
【００２０】
また、図３に示すように、左サイドディスプレイ４は、ダッシュボードの天板上の左端近くの位置に表示面をおおよそ自動車の後方に向けて配置され、右サイドディスプレイ５は、ダッシュボードの天板上の右端近くの位置に表示面をおおよそ自動車の後方に向けて配置されている。
【００２１】
また、センターディスプレイ６は、ダッシュボードの中央に表示面を自動車の後方に向けて配置されており、クラスタディスプレイ７は、運転席の正面の、伝統的にメータクラスターパネルが配置されてきた位置に表示面を自動車の後方に向けて配置されている。
【００２２】
図１に戻り、表示制御部８は、左サイドカメラ１が撮影した映像を映像の左右と自動車の左右が一致するように左右反転し左サイドディスプレイ４に表示し、右サイドカメラ２が撮影した映像を映像の左右と自動車の左右が一致するように左右反転し右サイドディスプレイ５に表示する。
【００２３】
また、表示制御部８は、情報システム３として備えたオーディオシステムやナビゲーションシステムのユーザインタフェース画面をセンターディスプレイ６に表示し、情報システム３として備えた自動車状態管理システムが検出している車速やエンジン回転速度や走行距離などをクラスタディスプレイ７に表示する。
【００２４】
さて、左サイドディスプレイ４、右サイドディスプレイ５、センターディスプレイ６、クラスタディスプレイ７は、液晶ディスプレイであり、図４ａに示す層構造を備えている。
【００２５】
すなわち、各ディスプレイは、バックライト４０１、第１偏光板４０２、ＴＦＴアレイ４０３、第１配向膜４０４、液晶層４０５、第２配向膜４０６、透明電極４０７、カラーフィルタ４０８、第２偏光板４０９、カバーガラス４１０を当該記載の順序で下層より積層した層構造を有している。
【００２６】
当該層構造において、バックライト４０１より出射された光は第１偏光板４０２で第１の方向に直線偏光され、ＴＦＴアレイ４０３、第１配向膜４０４、液晶層４０５、第２配向膜４０６を通って、カラーフィルタ４０８で有色光に変換され、第２偏光板４０９に入射する。
【００２７】
第２偏光板４０９は、カラーフィルタ４０８から入射した光の前記第１の方向と直交する第２の方向に偏光した成分のみを透過し、第２偏光板４０９を透過した光は、カバーガラス４１０を介してディスプレイの映像光として出射される。
【００２８】
第２偏光板４０９に入射する光の第２の方向に偏光した成分の大きさ、すなわち、第２偏光板４０９から出射されディスプレイの映像光となる光の大きさは液晶層４０５の状態によって変化し、ＴＦＴアレイ４０３によってＴＦＴアレイ４０３と透明電極４０７との間に印加する電圧によって液晶層４０５の状態を制御して表示面の各座標の各色のディスプレイの映像光の輝度を設定することにより画像の表示が行われる。
【００２９】
さて、本実施形態では、図５ａ、ｂに示すように、左サイドディスプレイ４と右サイドディスプレイ５の第２偏光板４０９の偏光方向と、センターディスプレイ６とクラスタディスプレイ７の第２偏光板４０９の偏光方向とを、両者ができるだけ直交するように設定する。ただし、この場合も、各ディスプレイの第１偏光板４０２の偏光方向は、そのディスプレイの第２偏光板４０９の偏光方向と直交するように設定する。
【００３０】
すなわち、たとえば、図５ａに示すように、左サイドディスプレイ４と右サイドディスプレイ５の第２偏光板４０９の偏光方向をディスプレイの垂直方向に設定し、センターディスプレイ６とクラスタディスプレイ７の２偏光板の偏光方向をディスプレイの水平方向に設定する。または、図５ｂに示すように、左サイドディスプレイ４と右サイドディスプレイ５の第２偏光板４０９の偏光方向をディスプレイの垂直方向に対して時計回りに斜め-４５度に設定し、センターディスプレイ６とクラスタディスプレイ７の２偏光板の偏光方向を垂直方向に対して時計回りに４５度に設定する。
【００３１】
なお、図５ｂのように第２偏光板４０９の偏光方向をディスプレイの垂直方向に対して傾けることにより、ユーザは、通常水平方向の直線偏光を遮断する偏光サングラスを使用してても、各ディスプレイの表示内容を視認し易くなる
このように、左サイドディスプレイ４と右サイドディスプレイ５の第２偏光板４０９の偏光方向と、センターディスプレイ６とクラスタディスプレイ７の第２偏光板４０９の偏光方向とを直交するように設定することにより、左サイドディスプレイ４と右サイドディスプレイ５から出射されセンターディスプレイ６とクラスタディスプレイ７に届いた映像光は、センターディスプレイ６とクラスタディスプレイ７の第２偏光板４０９でほぼ吸収、遮断され、センターディスプレイ６とクラスタディスプレイ７の第２偏光板４０９より下層の部分での当該映像光による反射が抑制される。
【００３２】
また、同様に、センターディスプレイ６とクラスタディスプレイ７から出射され左サイドディスプレイ４と右サイドディスプレイ５に届いた映像光は、左サイドディスプレイ４と右サイドディスプレイ５の第２偏光板４０９でほぼ吸収、遮断され、左サイドディスプレイ４と右サイドディスプレイ５の第２偏光板４０９より下層の部分での当該映像光による反射が抑制される。
【００３３】
なお、本第１実施形態では、センターディスプレイ６とクラスタディスプレイ７の表示面がほぼ同じ方向を向いているため、センターディスプレイ６とクラスタディスプレイ７との間の映り込みは発生せず、左サイドディスプレイ４と右サイドディスプレイ５は、相互に他方のサイドディスプレイの視野角範囲内に位置しておらず、左サイドディスプレイ４と右サイドディスプレイ５との間の映り込みは発生しないものとしている。
【００３４】
以上、本発明の第１実施形態について説明した。
ところで、以上の第１実施形態では、センターディスプレイ６とクラスタディスプレイ７と、左サイドディスプレイ４と右サイドディスプレイ５との間のカバーガラス４１０での反射による映り込みは排除することができない。
【００３５】
そこで、以上の実施形態において、図４ｂに示すように、各ディスプレイのカバーガラス４１０の上に、そのディスプレイの第２偏光板４０９と偏光方向が同じ第３偏光板４１１を設けるようにしてもよい。
【００３６】
このようにすることにより、センターディスプレイ６とクラスタディスプレイ７と、左サイドディスプレイ４と右サイドディスプレイ５との間のカバーガラス４１０での反射による映り込みも抑制することができる。
【００３７】
以下、本発明の第２実施形態について説明する。
本第２実施形態は、上記第１実施形態において、左サイドディスプレイ４と右サイドディスプレイ５の第２偏光板４０９の偏光方向と、センターディスプレイ６とクラスタディスプレイ７の第２偏光板４０９の偏光方向とを、両者が直交するように設定する代わりに、センターディスプレイ６とクラスタディスプレイ７に出射する映像光を第１の回転方向の円偏光とする円偏光板を設け、左サイドディスプレイ４と右サイドディスプレイ５に出射する映像光を第１の回転方向と逆回転方向の第２の回転方向の円偏光とする円偏光板を設けたものである。
【００３８】
すなわち、本第２実施形態では、図６ａに示すように、図４ａに示した液晶ディスプレイの層構造における第２偏光板４０９とカバーガラス４１０の間に位相差板（1/4波長板）４１２を、第２偏光板４０９と位相差板４１２とで円偏光板４１３を形成するように設ける。
【００３９】
ただし、図６ａの位相差板４１２に代えて、第２偏光板４０９と直線偏光方向が同じ偏光板と位相差板（1/4波長板）を用いた円偏光板４１３を設けてもよい。
そして、たとえば、図７に示すように、左サイドディスプレイ４と右サイドディスプレイ５の円偏光板４１３を出射する映像光を右回りの円偏光とするものとし、センターディスプレイ６とクラスタディスプレイ７の円偏光板４１３を出射する映像光を左回りの円偏光とするものとする。
【００４０】
このように、左サイドディスプレイ４と右サイドディスプレイ５が出射する映像光の円偏光の回転方向と、センターディスプレイ６とクラスタディスプレイ７が出射する映像光の円偏光の回転方向を逆方向に設定することにより、左サイドディスプレイ４と右サイドディスプレイ５から出射されセンターディスプレイ６とクラスタディスプレイ７に届いた映像光は、センターディスプレイ６とクラスタディスプレイ７の円偏光板４１３でほぼ吸収、遮断され、センターディスプレイ６とクラスタディスプレイ７の円偏光板４１３より下層の部分での当該映像光による反射が抑制される。
【００４１】
また、同様に、センターディスプレイ６とクラスタディスプレイ７から出射され左サイドディスプレイ４と右サイドディスプレイ５に届いた映像光は、左サイドディスプレイ４と右サイドディスプレイ５の円偏光板４１３でほぼ吸収、遮断され、左サイドディスプレイ４と右サイドディスプレイ５の円偏光板４１３より下層の部分での当該映像光による反射が抑制される。
【００４２】
また、各ディスプレイの出射する映像光を円偏光としたので、ユーザは、直線偏光を遮断する偏光サングラスを使用している場合でも、各ディスプレイの表示内容を視認できる。
【００４３】
以上、本発明の第２実施形態について説明した。
ところで、以上の第２実施形態では、センターディスプレイ６とクラスタディスプレイ７と、左サイドディスプレイ４と右サイドディスプレイ５との間のカバーガラス４１０の反射による映り込みは排除することができない。
【００４４】
そこで、以上の第２実施形態において、図６ｂに示すように、円偏光板４１３を、各ディスプレイのカバーガラス４１０の上に設けるようにし、センターディスプレイ６とクラスタディスプレイ７と、左サイドディスプレイ４と右サイドディスプレイ５との間のカバーガラス４１０の反射による映り込みも抑制するようにしてよい。
【００４５】
以上、本発明の実施形態について説明した。
ここで、以上の実施形態は、液晶ディスプレイに限らず、有機ディスプレイ等の映像の形成に偏光板を必要としない他の方式のディスプレイにもディスプレイのカバーガラス４１０の上や下に偏光板や円偏光板を設けることにより同様に適用することができる。
【００４６】
また、以上の実施形態の偏光板や円偏光板を用いて、ディスプレイ間で、ディスプレイの出射する映像光の偏光方向を直交させたり、ディスプレイの出射する映像光の円偏光の回転方向を異ならせることにより、ディスプレイ間の写り込みを抑制する構成は、複数のディスプレイを備えた任意の表示システムに同様に適用することができる。
【００４７】
また、以上の実施形態において、円偏光板４１３に代えて楕円偏光板を用いてもよい。
【符号の説明】
【００４８】
１…左サイドカメラ、２…右サイドカメラ、３…情報システム、４…左サイドディスプレイ、５…右サイドディスプレイ、６…センターディスプレイ、７…クラスタディスプレイ、８…表示制御部、４０１…バックライト、４０２…第１偏光板、４０３…ＴＦＴアレイ、４０４…第１配向膜、４０５…液晶層、４０６…第２配向膜、４０７…透明電極、４０８…カラーフィルタ、４０９…第２偏光板、４１０…カバーガラス、４１１…第３偏光板、４１２…位相差板、４１３…円偏光板。
【図１】
2020122947.tif 000003
【図２】
2020122947.tif 000004
【図３】
2020122947.tif 000005
【図４】
2020122947.tif 000006
【図５】
2020122947.tif 000007
【図６】
2020122947.tif 000008
【図７】
2020122947.tif 000009